(57)【要約】【課題】作業者が非力な場合、または、作業時間が長時間の場合等においても、前記従来の手動利器に比べて、手動利器を用いた作業を容易に行うことができる技術を提供することを課題とする。【解決手段】作業対象に作用する作用体２０と、作用体２０を支持する支持体３０と、支持体３０に設けられ、作業者が把持する柄３４と、を具備し、柄３４を把持して、作業対象に作用体２０を当接させた状態で押し引きすることによって作業対象に作用するように構成される、手動利器１であって、柄３４は、柄３４の軸心方向が手動利器１の押し引きする方向に対して傾斜するとともに、作用体２０が作業対象に作用する側と反対側に支持体３０から突出するように、配置される。【選択図】図１
2013256033.tif 000002
【特許請求の範囲】
【請求項１】
作業対象に作用する作用体と、
前記作用体を支持する支持体と、
前記支持体に設けられ、作業者が把持する柄と、を具備し、
前記柄を把持して、前記作業対象に前記作用体を当接させた状態で押し引きすることによって前記作業対象に作用するように構成される、手動利器であって、
前記柄は、前記柄の軸心方向が前記手動利器の押し引きする方向に対して傾斜するとともに、前記作用体が前記作業対象に作用する側と反対側に前記支持体から突出するように、配置される、
手動利器。
【請求項２】
前記柄は、前記作用体の前記作業対象に作用する部分よりも、前記手動利器の押し引きする方向のうち引く方向側に配置される、
請求項１に記載の手動利器。
【請求項３】
前記手動利器は、前記作業対象に前記作用体を当接させた状態で押し引きすることによって前記作業対象物を切断する、手引き鋸である、
前記請求項１または請求項２に記載の手動利器。
【請求項４】
前記柄は、前記作業対象物を切断する方向からみて、前記柄の軸心の延長線と作用体の軸心の延長線とが重なるように配置される、
請求項３に記載の手動利器。
【請求項５】
前記支持体に設けられ、作業者の腕に装着可能に構成され、前記支持体における前記手動利器の押し引きする方向のうち引く方向側部が前記作用対象と前記作用体とが当接する箇所を支点にして前記作用体における前記作業対象側に回動しないように前記作業対象に前記作用体を当接させた状態で押し引きする前記作業者の動作を補助する、補助体を具備する、
請求項１から請求項４のいずれか一項に記載の手動利器。
【発明の詳細な説明】
【技術分野】
【０００１】
本発明は、手動利器の技術に関する。
【背景技術】
【０００２】
従来、作業対象に作用する作用体と、作用体を支持する支持体と、前記支持体に設けられ作業者が把持する柄と、を具備する手動利器は、種々知られている。（特許文献１参照）。
このような手動利器は、作業者が柄を把持して、作業対象に作用体を当接させた状態で押し引きすることによって作業対象に作用するように構成される。
【０００３】
前記手動利器には、手動工具（例えば、手引き鋸や手引き鉋等）、または、手動農具（例えば、熊手）等がある。
前記手動利器が、手引き鋸である場合には、作用体は鋸板として構成される。
そして、前記手動利器（手引きの鋸）は、作業者が柄を把持して作業対象に作用体（鋸板）を当接させた状態で押し引きすることによって、作業対象（木材または金属）を切断するように構成される。
【先行技術文献】
【特許文献】
【０００４】
【特許文献１】特開２００５−１２２０号公報
【発明の概要】
【発明が解決しようとする課題】
【０００５】
しかしながら、前記手動利器の柄は、作用体から手動利器の押し引きする方向のうち引く方向側（後方側）にその軸心が突出するように配置される。
そして、このように構成される前記手動利器では、作業者が非力な場合、または、作業時間が長時間の場合等には、作業対象に十分に作用するように、作業者からの作業対象側に押付ける方向の力（下方への力）と押し引きする方向の力（前後方向への力）とを、同時に手動利器に伝え難い。
このように、前記手動利器では、作業者が非力な場合、または、作業時間が長時間の場合等には、手動利器を用いた作業を行うことが困難な場合があった。
【０００６】
本発明は以上の如き状況に鑑みてなされたものであり、作業者が非力な場合、または、作業時間が長時間の場合等においても、前記従来の手動利器に比べて、手動利器を用いた作業を容易に行うことができる技術を提供することを課題とする。
【課題を解決するための手段】
【０００７】
本発明の解決しようとする課題は以上の如くであり、次にこの課題を解決するための手段を説明する。
【０００８】
即ち、請求項１においては、作業対象に作用する作用体と、前記作用体を支持する支持体と、前記支持体に設けられ、作業者が把持する柄と、を具備し、前記柄を把持して、前記作業対象に前記作用体を当接させた状態で押し引きすることによって前記作業対象に作用するように構成される、手動利器であって、前記柄は、前記柄の軸心方向が前記手動利器の押し引きする方向に対して傾斜するとともに、前記作用体が前記作業対象に作用する側と反対側に前記支持体から突出するように、配置されるものである。
【０００９】
請求項２においては、前記支持体の柄は、前記作用体の前記作業対象に作用する部分よりも、手動利器の押し引きする方向のうち引く方向側に配置されるものである。
【００１０】
請求項３においては、前記手動利器は、前記作業対象に前記作用体を当接させた状態で押し引きすることによって前記作業対象物を切断する、手引き鋸であるものである。
【００１１】
請求項４においては、前記支持体の柄は、前記作業対象物を切断する方向からみて、前記柄の軸心の延長線と作用体の軸心の延長線とが重なるように配置されるものである。
【００１２】
請求項５においては、前記支持体に設けられ、作業者の腕に装着可能に構成され、前記支持体における前記手動利器の押し引きする方向のうち引く方向側部が前記作用対象と前記作用体とが当接する箇所を支点にして前記作用体における前記作業対象に作用する側に回動しないように前記作業対象に前記作用体を当接させた状態で押し引きする前記作業者の動作を補助する、補助体を具備するものである。
【発明の効果】
【００１３】
本発明の効果として、以下に示すような効果を奏する。
【００１４】
即ち、本発明によれば、作業者が非力な場合、または、作業時間が長時間の場合等においても、前記従来の手動利器に比べて、手動利器を用いた作業を容易に行うことができる。
【図面の簡単な説明】
【００１５】
【図１】本発明の実施形態に係る手動利器の全体的な構成を示した正面図。
【図２】同じく側面図。
【図３】同じく拡大正面図。
【図４】同じく拡大平面図。
【図５】同じく拡大正面図。
【図６】同じく拡大正面図。
【発明を実施するための形態】
【００１６】
次に、本発明の実施形態に係る手動利器１について、図１から図６を用いて説明する。
【００１７】
手動利器１は、手動工具（例えば、手引き鋸や手引き鉋等）、または、手動農具（例えば、熊手）等の道具である。
手動利器１は、図１または図２に示すように、作用体２０と、支持体３０と、柄３４と、を具備する。
手動利器１の作用体２０は、作業対象に作用するものである。
手動利器１の支持体３０は、作用体２０を支持するものである。
手動利器１の柄は、手動利器１を用いて作業するときに作業者に把持されるものであり、支持体３０に設けられる。
手動利器１は、作業者が柄３４を把持して、作業対象に作用体２０を当接させた状態で押し引きすることによって作業対象に作用するように構成される。
以下において、手動利器１には、作業者が柄３４を把持して、作業対象に作用体２０を当接させた状態で押し引きすることによって作業対象物を切断する、手引き鋸であるものとして説明する。
【００１８】
手動利器１の作用体２０は、木材や金属等の作業対象に作用して作業対象を切断する鋸板で構成される。
手動利器１の作用体２０は、下部に歯部（歯面）２１と上部に背部（ミネ）２２とを備えて構成される。手動利器１の作用体２０の歯部２１は、作業対象に作用する部分として構成される。
【００１９】
手動利器１の支持体３０は、棒状の部材であり、その一端部（前端部）に作用体２０が取付けられて作用体２０を支持するように構成される。
手動利器１の支持体３０は、凹部３２と、凸部３３と、を有して構成される。
手動利器１の支持体３０の凹部３２は、支持体３０の両側面にそれぞれ凹状に形成されて構成される。手動利器１の支持体３０の凸部３３は、略円柱状に形成されて、支持体３０の他端部（後端部）から後方に突出するように構成される。
【００２０】
手動利器１の柄３４は、棒状の部材である。
手動利器１の柄３４は、その外面が作業者が把持しやすいような形状に形成されて構成される。
手動利器１の柄３４は、支持体３０に固定して設けられる。
【００２１】
このようにして、手動利器１は、作業者が柄３４を把持して、作業対象に作用体２０を当接させた状態で押し引きすることによって作用体２０が作業対象に作用（作用体２０によって作業対象を切断）するように構成される。
【００２２】
手動利器１の柄３４は、作用体２０の歯部２１側（作用体２０が作業対象に作用する側）と反対側（上方）に支持体３０の上面から突出するように配置される。手動利器１の柄３４は、作用体２０の背部２２側方向に支持体３０から突出するように配置される。
手動利器１の柄３４は、作用体２０よりも上方に配置される。手動利器１の柄３４は、作用体２０の歯部２１よりも上方に配置される。手動利器１の柄３４は、作用体２０の背部２２よりも上方に配置される。
手動利器１の柄３４は、柄３４の軸心方向Ａが手動利器１の押し引きする方向Ｂに対して傾斜するように配置される（図３参照）。手動利器１の柄３４は、正面視で、柄３４の軸心方向Ａが手動利器１の押し引きする方向Ｂと交差するように配置される（図３参照）。手動利器１の柄３４は、正面視で、柄３４の軸心方向が作用体２０の歯部２１の刃渡り方向と交差するように配置される。
【００２３】
以上のように、手動利器１の柄３４は、柄３４の軸心方向Ａが手動利器１の押し引きする方向Ｂに対して傾斜するとともに、作用体２０の歯部２１側（作用体２０が作業対象に作用する側）と反対側（上方）に突出するように配置される。
ここで、手動利器１の柄３４は、これ用いて作業対象に作用する動作を行うときに、柄３４の軸心の周方向外面、または、柄３４の上部外面を、手の平または指の内側で包むようにして、作業者に把持される。
そして、手動利器１では、作業者が柄３４を把持しながら、柄３４を作業対象側（下方）に押付け、且つ、柄３４を押し引きする方向（前後方向）に移動させて、手動利器１を操作することができる。
このように構成される手動利器１では、前記従来の手動利器に比べて、作業対象に十分に作用するように、作業者からの作業対象側に押付ける方向の力（下方への力）と押し引きする方向の力（前後方向への力）とを、同時に手動利器１に伝え易い。
このため、手動利器１によれば、前記従来の手動利器に比べて、小さい力で手動利器１を用いた作業を行うことができる。
したがって、手動利器１によれば、作業者が非力な場合、または、作業時間が長時間の場合等においても、前記従来の手動利器に比べて、手動利器１を用いた作業を容易に行うことができる。
また、手動利器１は手引き鋸であるため、鋸の作業対象には、効果的である
【００２４】
手動利器１の柄３４は、支持体３０における作用体２０が取付けられる部分（支持体３０の一端部）のやや後方の上面から、作用体２０が作業対象に作用する側と反対側に突出するように配置される。手動利器１の柄３４は、支持体３０における作用体２０が取付けられる部分（支持体３０の一端部）の後方に配置される。
手動利器１の柄３４は、作用体２０よりも後方に配置される。手動利器１の柄３４は、作用体２０の歯部２１よりも後方に配置される。手動利器１の柄３４は、作用体２０の歯部２１よりも、手動利器１の押し引きする方向のうち引く方向側に配置される。
【００２５】
以上のように、手動利器１の柄３４は、作用体２０の歯部２１（作用体２０の作業対象に作用する部分）よりも、手動利器１の押し引きする方向のうち引く方向側に配置される。
このように構成される手動利器１では、柄３４が作用体２０の真上に配置されるものに比べて、作業対象に十分に作用するように、作業者からの作業対象側に押付ける方向の力と押し引きする方向の力とを、同時に手動利器１に伝え易い。
このため、手動利器１によれば、柄３４が作用体２０の真上に配置されるものに比べて、小さい力で手動利器１を用いた作業を行うことができる。
したがって、手動利器１によれば、作業者が非力な場合、または、作業時間が長時間の場合等においても、柄３４が作用体２０の真上に配置されるものに比べて、手動利器１を用いた作業を容易に行うことができる。
さらに、手動利器１は手引き鋸であるため、このように手動利器１の柄３４が構成されることにより、前記手動利器１を押し引きする動作を行い易くなり、作業対象を切断する作業を効率良く行うことができる。
【００２６】
手動利器１の柄３４は、作業対象物を切断する方向からみて（平面視で）、柄３４の軸心の延長線Ｃと、作用体２０（鋸板）の軸心の延長線Ｄと、が重なるように配置される（図４参照）。
このように構成される手動利器１では、作業者が柄３４を把持したまま柄３４を作用体２０の背部２２側に押付けるように力を加えれば、作業対象物が切断されていく方向に沿って作業者からの作業対象に押付ける方向の力と押し引きする方向の力とが同時に手動利器１に伝わることとなる。
このため、手動利器１（手引き鋸）によれば、従来の手動利器に比べて、熟練を要さずに、所望の切断面に作業対象を切断し易くなる。
【００２７】
また、手動利器１は、図１、図２、または、図５に示すように、補助体４０を、を具備する。
手動利器１の補助体４０は、支持体３０に設けられる。手動利器１の補助体４０は、支持体３０の上面に配置される。
手動利器１の補助体４０は、作業者の腕Ｍに装着可能に構成される。
手動利器１の補助体４０は、作業者の腕Ｍに装着された状態で、支持体３０における手動利器１の押し引きする方向のうち引く方向側部（支持体３０の後部）が作用対象と作用体２０とが当接する箇所を支点にして作業対象側（下方）に回動しないように、作業対象に作用体２０を当接させた状態で押し引きする作業者の動作を補助するように構成される。
ここで、作業者の腕Ｍとは、作業者における上腕から手首までを含む部分を示す。
手動利器１の補助体４０は、腕置き部材４１と、前後一対のバンド４３・４３と、左右一対のフック部材４４・４４と、筒部材４５と、を備える。
【００２８】
手動利器１の補助体４０の腕置き部材４１は、ウレタン素材の板状の部材であり、その上面に作業者の腕Ｍを配置可能に構成される。
手動利器１の補助体４０の腕置き部材４１は、一対のバンド４３・４３をそれぞれ通すことができる通し孔４２・４２・・・を有する。
【００２９】
手動利器１の補助体４０のバンド４３は、腕置き部材４１上の配置される作業者の腕Ｍに巻付け可能に構成される。
手動利器１の補助体４０のバンド４３は、帯状の部材であり、腕置き部材４１の通し孔４２に貫装されて配置される。
手動利器１の補助体４０のバンド４３は、その一端部と他端部とにそれぞれ配置される面ファスナを互いに当接させることにより、輪状に形成可能に構成される。
【００３０】
手動利器１の補助体４０のフック部材４４は、支持体３０の凹部３２に引掛け可能に構成される。手動利器１の補助体４０のフック部材４４は、腕置き部材４１の前部下面に設けられる。
【００３１】
手動利器１の補助体４０の筒部材４５は、筒部材４５の中に支持体３０の凸部３３を嵌挿可能に構成される。手動利器１の補助体４０の筒部材４５は、腕置き部材４１の後部下面に設けられる。
【００３２】
このように構成される手動利器１の補助体４０は、フック部材４４を支持体３０の凹部３２に引掛け、筒部材４５を支持体３０の凸部３３に嵌挿することによって、支持体３０に取付けられる。このとき、手動利器１の補助体４０は、作用体２０および柄３４よりも、支持体３０の他端部側（後方）に配置される。
手動利器１の補助体４０は、斯かる状態で、腕置き部材４１上の作業者の腕Ｍを配置し、当該作業者の腕Ｍにバンド４３を巻付けることによって、作業者の腕Ｍに装着される（図５参照）。
【００３３】
このように作業者の腕Ｍに装着された手動利器１の補助体４０は、支持体３０における手動利器１の押し引きする方向のうち引く方向側部（支持体３０の後部）が、作用対象と作用体２０とが当接する箇所を支点にして作業対象側（下方）に回動しないように、柄３４を把持して作業対象に作用体２０を当接させた状態で押し引きする作業者の動作を補助する。
手動利器１では、補助体４０が作業者の腕Ｍに装着された状態で、作業対象に作用体２０を当接させた状態で作業者が押し引きする動作を行った場合には、支持体３０における手動利器１の押し引きする方向のうち引く方向側部が作用対象と作用体２０とが当接する箇所を支点にして作業対象側に回動しようとすると、補助体４０のバンド４３の内面が作業者の腕Ｍの上部に当接して、前記支持体３０における手動利器１の押し引きする方向のうち引く方向側部の下方への回動が防止される。
このため、手動利器１では、支持体３０における手動利器１の押し引きする方向のうち引く方向側部が作用対象と作用体２０とが当接する箇所を支点にして作業対象側に回動しないように柄３４を把持した状態を保持する力、また、前記支持体３０における手動利器１の押し引きする方向のうち引く方向側部が作業対象側に回動しないように柄３４を把持した状態で手首を固定する力、を軽減させることができる。
したがって、手動利器１では、手動利器１を用いた作業を容易に行うことができる。
【００３４】
手動利器１の支持体３０は、作業者が柄３４を把持した状態で、支持体３０の後端が少なくとも作業者の腕Ｍのうち前腕Ｎの肘近傍に至るように構成される。
手動利器１の補助体４０は、作業者が柄３４を把持した状態で、補助体４０のバンド４３が作業者の腕Ｍのうち前腕Ｎに巻付け可能に配置されて、構成される。
手動利器１の補助体４０は、作業者が柄３４を把持した状態で、補助体４０の後方のバンド４３が作業者の腕Ｍのうち前腕Ｎの肘近傍に配置されて、構成される。
そして、手動利器１の補助体４０は、そのバンド４３が作業者の腕Ｍのうち前腕Ｎに巻付けられて、作業者の腕Ｍに装着される。また、手動利器１の補助体４０は、そのバンド４３（後方のバンド４３）が作業者の腕Ｍのうち前腕Ｎの肘近傍部分に巻付けられて、作業者の腕Ｍに装着される（図５参照）。
【００３５】
このため、手動利器１では、補助体４０のバンド４３が作業者の前腕Ｎの肘近傍部分よりも手首側部分にのみ巻付けられるものよりも、手動利器１では、支持体３０における手動利器１の押し引きする方向のうち引く方向側部が作用対象と作用体２０とが当接する箇所を支点にして作業対象側に回動しないように柄３４を把持した状態を保持する力、また、前記支持体３０における手動利器１の押し引きする方向のうち引く方向側部が作業対象側に回動しないように柄３４を把持した状態で手首を固定する力、をより軽減させることができる。
したがって、手動利器１では、補助体４０のバンド４３が作業者の前腕Ｎの肘近傍部分よりも手首側部分にのみ巻付けられているものよりも、手動利器１を用いた作業を容易に行うことができる。
【００３６】
手動利器１は、補助体４０が作業者の腕Ｍに装着された状態で、支持体３０が作業者の前腕Ｎに対して作用体２０の歯部２１側（作業対象側）に位置するように構成される。
このように構成されることにより、手動利器１では、作業者の前腕Ｎ（作業者の前腕Ｎまたは手首）を支持体３０に押付けることによって手動利器１を作業対象に押付けて、手動利器１を用いた作業を行うことができる。
したがって、手動利器１によれば、作業対象側に押付ける方向に手動利器１を強くして、手動利器１を用いた作業を行うことができる。
【００３７】
手動利器１の支持体３０は、支持体３０における柄３４が取付けられる部分のやや後方の部分が屈曲するように構成される。
以下において、手動利器１の支持体３０における前記屈曲する部分よりも一端側（作用体２０が取付けられる側）部分を支持体３０の一端側部３０ａと、支持体３０における前記屈曲する部分よりも他端側（作用体２０が取付けられる側と反対側）部分を支持体３０の他端側部３０ｂと、それぞれ称する。
手動利器１の支持体３０は、支持体３０における柄３４が取付けられる部分のやや後方（作用体２０が取付けられる側と反対側の部分）が屈曲して、支持体３０の他端側部３０ｂが支持体３０の一端側部３０ａに対して作用体２０の歯部２１側（下方）に傾斜するように構成される。
手動利器１の支持体３０は、作業者の腕Ｍに補助体４０が装着され且つ作業者が柄３４を把持した状態で作業対象を切断する作業を行うことを考慮して、支持体３０の一端側部３０ａの軸心方向Ｅに対する支持体３０の他端側部３０ｂの軸心方向Ｆの角度αが０度＜角度α≦４０度の関係を満たす範囲で構成される。本実施形態では、手動利器１の支持体３０は、支持体３０の一端側部３０ａの軸心方向Ｅに対する支持体３０の他端側部３０ｂの軸心方向Ｆの角度αが２０度となるように構成される（図６参照）。
このように支持体３０が構成される手動利器１は、支持体３０の一端側部３０ａおよび支持体３０の他端側部３０ｂがそれぞれ斜め下方（作用体２０の歯部２１側）に延出して、全体的に正面視で山形状（「逆Ｖ字状」）に屈曲するように構成される。
以上のように支持体３０が屈曲するように構成されることにより、手動利器１では、補助体４０が作業者の腕Ｍに装着された状態であっても、支持体３０が屈曲しないものに比べて、支持体３０の他端側部３０ｂが延出する方向（斜め下方）に手動利器１を引く動作を行い易くなる。
さらに、手動利器１が手引きの和鋸である場合には、前記手動利器１を引く動作を行い易いため、作業対象を切断する作業を効率良く行うことができる。
【００３８】
手動利器１は、図６に示すように、柄３４が支持体３０の一端側部３０ａに対して作用体２０の背部２２側（上方）に傾斜するように構成される。
手動利器１は、柄３４が支持体３０の他端側部３０ｂに対して作用体２０の背部２２側（上方）に傾斜するように構成される。
補助体４０を具備する手動利器１は、作業者の腕Ｍに補助体４０が装着され且つ作業者が柄３４を把持した状態で作業対象を切断する作業を行うことを考慮して、支持体３０の他端側部３０ｂの軸心方向Ｆに対する柄３４の軸心方向Ａの角度βが７５度≦角度β≦１４５度の関係を満たす範囲で構成される。
作業者から手動利器１への作業対象側に押付ける方向の力および押し引きする方向の力の伝え易さを考慮すると、手動利器１は、支持体３０の他端側部３０ｂの軸心方向Ｆに対する柄３４の軸心方向Ａの角度βが１１０度≦角度β≦１４０度の関係を満たす範囲で構成されることが好ましい。
作業者から手動利器１への作業対象側に押付ける方向の力および押し引きする方向の力の伝え易さを考慮すると、手動利器１は、支持体３０の他端側部３０ｂの軸心方向Ｆに対する柄３４の軸心方向Ａの角度βが１２０度≦角度β≦１３０度の関係を満たす範囲で構成されることがより好ましい。
作業者から手動利器１への作業対象側に押付ける方向の力および押し引きする方向の力の伝え易さを考慮すると、支持体３０の他端側部３０ｂの軸心方向Ｆに対する柄３４の軸心方向Ａの角度βが１２２度≦角度β≦１２８度の関係を満たす範囲で構成されることがさらにより好ましい。
本実施形態では、手動利器１は、支持体３０の他端側部３０ｂの軸心方向Ｆに対する柄３４の軸心方向Ａの角度βが１２５度となるように構成される。
【００３９】
なお、手動利器１の柄３４は、支持体３０に着脱自在に構成される。また、手動利器１の支持体３０の補助体４０は、支持体３０に着脱自在に構成される。
【符号の説明】
【００４０】
１    手動利器
２０  作用体
３０  支持体
３４  柄
４０  補助体
【図１】
2013256033.tif 000003
【図２】
2013256033.tif 000004
【図３】
2013256033.tif 000005
【図４】
2013256033.tif 000006
【図５】
2013256033.tif 000007
【図６】
2013256033.tif 000008